(57)【要約】  ｅＣａｌｌをサポートするための技法が説明される。一態様においては、ｅＣａｌｌを確立中であることを示すためにｅＣａｌｌインジケータを用いることができる。一設計においては、端末は、ｅＣａｌｌインジケータを含むメッセージを生成することができ及びｅＣａｌｌを発生させるために前記メッセージを送信することができる。前記ｅＣａｌｌインジケータは、（ｉ）呼がｅＣａｌｌであるかどうか又は（ｉｉ）ｅＣａｌｌが前記端末によって自動的に開始されたか又はユーザによって手動で開始されたかを示すことができる。他の態様においては、端末は、ｅＣａｌｌ及び指定された呼を除き移動性管理及び接続管理のためのシグナリングを無線ネットワークに送信することを回避することができる。前記端末は、所在位置の更新を行うこと、登録を行うこと、ページング要求に応答すること、等を回避することができる。前記端末は、前記端末によって開始されたｅＣａｌｌのために無線ネットワークとシグナリングを交換することができる。前記ｅＣａｌｌが開始された後に、前記端末は、前記無線ネットワークとの所在位置の更新及び前記ｅＣａｌｌのための呼の確立を行うことができる。【選択図】図９
2011521505.tif 000002
【特許請求の範囲】
【請求項１】
緊急呼（ｅＣａｌｌ）の確立を行う方法であって、
ｅＣａｌｌインジケータを備えるメッセージを生成することと、
端末のためのｅＣａｌｌを発生させるために前記メッセージを送信すること、とを備える、緊急呼（ｅＣａｌｌ）の確立を行うための方法。
【請求項２】
前記ｅＣａｌｌが前記端末によって自動的に開始されたか又はユーザによって手動で開始されたかを示すために前記ｅＣａｌｌインジケータを設定することをさらに備える請求項１に記載の方法。
【請求項３】
前記メッセージは、接続管理（ＣＭ）サービス要求メッセージ、緊急ＳＥＴＵＰメッセージ、及びＳＥＴＵＰメッセージのうちの１つを備える請求項１に記載の方法。
【請求項４】
前記メッセージは、前記ｅＣａｌｌインジケータのために用いられる少なくとも１つのビットを有するサービスカテゴリ情報要素を備える請求項１に記載の方法。
【請求項５】
前記ｅＣａｌｌインジケータのために用いられる前記少なくとも１つのビットは、前記ｅＣａｌｌが前記端末によって自動的に開始されたかどうかを示す第１のビットと、前記ｅＣａｌｌがユーザによって手動で開始されたかどうかを示す第２のビットと、を備える請求項４に記載の方法。
【請求項６】
前記ｅＣａｌｌインジケータのために用いられる前記少なくとも１つのビットは、ｅＣａｌｌを開始中であるかどうかを示す単一のビットを備える請求項４に記載の方法。
【請求項７】
前記メッセージは、前記ｅＣａｌｌインジケータを含む情報要素を備える請求項１に記載の方法。
【請求項８】
前記メッセージは、前記ｅＣａｌｌインジケータのために用いられる少なくとも１つのビットを有する接続管理（ＣＭ）サービスタイプ情報要素を備える請求項１に記載の方法。
【請求項９】
前記メッセージは、前記ｅＣａｌｌインジケータのために用いられる少なくとも１つのフラグを有する移動局（ＭＳ）クラスマーク２情報要素を備える請求項１に記載の方法。
【請求項１０】
前記メッセージは、前記ｅＣａｌｌインジケータのために予約された被呼者番号を備える請求項１に記載の方法。
【請求項１１】
緊急呼（ｅＣａｌｌ）の確立を行うための装置であって、
ｅＣａｌｌインジケータを備えるメッセージを生成するための手段と、
端末のためのｅＣａｌｌを発生させるために前記メッセージを送信するための手段と、を備える、緊急呼（ｅＣａｌｌ）の確立を行うための装置。
【請求項１２】
前記ｅＣａｌｌが前記端末によって自動的に開始されたか又はユーザによって手動で開始されたかを示すために前記ｅＣａｌｌインジケータを設定するための手段をさらに備える請求項１１に記載の装置。
【請求項１３】
前記メッセージは、前記ｅＣａｌｌインジケータのために用いられる第１及び第２のビットを有するサービスカテゴリ情報要素を備え、前記第１のビットは、前記ｅＣａｌｌが前記端末によって自動的に開始されたかどうかを示し、前記第２のビットは、前記ｅＣａｌｌがユーザによって手動で開始されたかをどうかを示す請求項１１に記載の装置。
【請求項１４】
緊急呼（ｅＣａｌｌ）の確立を行うための装置であって、
ｅＣａｌｌインジケータを備えるメッセージを生成し及び端末のためのｅＣａｌｌを発生させるために前記メッセージを送信するように構成された少なくとも１つのプロセッサを備える、緊急呼（ｅＣａｌｌ）の確立を行うための装置。
【請求項１５】
前記少なくとも１つのプロセッサは、前記ｅＣａｌｌが前記端末によって自動的に開始されたか又はユーザによって手動で開始されたかを示すために前記ｅＣａｌｌインジケータを設定するように構成される請求項１４に記載の装置。
【請求項１６】
前記メッセージは、前記ｅＣａｌｌインジケータのために用いられる第１及び第２のビットを有するサービスカテゴリ情報要素を備え、
前記第１のビットは、前記ｅＣａｌｌが前記端末によって自動的に開始されたかどうかを示し、前記第２のビットは、前記ｅＣａｌｌがユーザによって手動で開始されたかどうかを示す請求項１４に記載の装置。
【請求項１７】
少なくとも１つの処理ユニットによって実行されたときに、緊急呼（ｅＣａｌｌ）の確立を行う命令を有する符号化されたコンピュータによって読み取り可能な媒体であって、前記命令は、
ｅＣａｌｌインジケータを備えるメッセージを生成することを前記少なくとも１つの処理ユニットに行わせるための符号と、
端末のためのｅＣａｌｌを発生させるために前記メッセージを送信することを前記少なくとも１つの処理ユニットに行わせるための符号と、を備える、コンピュータによって読み取り可能な媒体。
【請求項１８】
緊急呼（ｅＣａｌｌ）の確立をサポートする方法であって、
端末からｅＣａｌｌを発生させるためのメッセージを受信することと、
前記メッセージからｅＣａｌｌインジケータを得ること、とを備える、緊急呼（ｅＣａｌｌ）の確立をサポートする方法。
【請求項１９】
前記ｅＣａｌｌインジケータに基づき前記ｅＣａｌｌが前記端末によって自動的に開始されたか又はユーザによって手動で開始されたかを決定することをさらに備える請求項１８に記載の方法。
【請求項２０】
前記メッセージは、前記ｅＣａｌｌインジケータのために用いられる第１及び第２のビットを有するサービスカテゴリ情報要素を備え、前記第１のビットは、前記ｅＣａｌｌが前記端末によって自動的に開始されたかどうかを示し、前記第２のビットは、前記ｅＣａｌｌがユーザによって手動で開始されたかどうかを示す請求項１８に記載の方法。
【請求項２１】
緊急呼（ｅＣａｌｌ）の確立をサポートするための装置であって、
端末からｅＣａｌｌを発生させるためのメッセージを受信するための手段と、
前記メッセージからｅＣａｌｌインジケータを得るための手段と、を備える、緊急呼（ｅＣａｌｌ）の確立をサポートするための装置。
【請求項２２】
前記ｅＣａｌｌインジケータに基づき前記ｅＣａｌｌが前記端末によって自動的に開始されたか又はユーザによって手動で開始されたかを決定するための手段をさらに備える請求項２１に記載の装置。
【請求項２３】
端末を動作させる方法であって、
緊急呼（ｅＣａｌｌ）及び指定された呼を除き移動性管理（ＭＭ）及び接続管理（ＣＭ）のためのシグナリングを前記端末によって無線ネットワークに送信することを回避することと、
前記端末によって開始されたｅＣａｌｌ又は指定された呼のために前記端末によってシグナリングを交換すること、とを備える、端末を動作させる方法。
【請求項２４】
検出されたネットワークにシグナリングを送信することなしに電源が投入された後に前記端末によって無線ネットワークを定期的に探すことをさらに備える請求項２３に記載の方法。
【請求項２５】
移動性管理及び接続管理のためのシグナリングを送信することを前記回避することは、前記ｅＣａｌｌ又は指定された呼の前に前記端末によって所在位置の更新を行うことを回避することを備える請求項２３に記載の方法。
【請求項２６】
移動性管理及び接続管理のためのシグナリングを送信することを前記回避することは、前記ｅＣａｌｌ又は指定された呼の前に登録を行うこと及びページング要求に応答することを回避することを備える請求項２３に記載の方法。
【請求項２７】
前記ｅＣａｌｌ又は指定された呼のために前記端末によってシグナリングを前記交換することは、
前記ｅＣａｌｌ又は指定された呼が開始された後に無線ネットワークとの所在位置の更新を行うことと、
前記ｅＣａｌｌ又は指定された呼のために前記無線ネットワークとの呼の確立を行うこと、とを備える請求項２３に記載の方法。
【請求項２８】
所在位置の更新を前記行うことは、所在位置の更新のための保留中のｅＣａｌｌの指示を備えるメッセージを送信することを備える請求項２７に記載の方法。
【請求項２９】
呼の確立を前記行うことは、呼の確立のためのｅＣａｌｌインジケータを備えるメッセージを送信することを備え、前記ｅＣａｌｌインジケータは、前記ｅＣａｌｌが前記端末によって自動的に開始されたかどうかを示す第１のビットと、前記ｅＣａｌｌがユーザによって手動で開始されたかどうかを示す第２のビットと、を備える請求項２７に記載の方法。
【請求項３０】
前記ｅＣａｌｌ又は指定された呼のために前記端末によってシグナリングを前記交換することは、前記ｅＣａｌｌ又は指定された呼のために無線ネットワークとの呼の確立を行うことを備え、前記所在位置の更新は、前記ｅＣａｌｌ又は指定された呼の開始前に前記無線ネットワークと前記端末よって行われる請求項２３に記載の方法。
【請求項３１】
前記ｅＣａｌｌ又は指定された呼の終了後の予め決められた時間の間前記端末による移動性管理及び接続管理のためのシグナリングを可能にすることと、
前記予め決められた時間後に前記端末によって移動性管理及び接続管理のためのシグナリングを送信することを回避すること、とをさらに備える請求項２３に記載の方法。
【請求項３２】
前記予め決められた時間は、ｅＣａｌｌのための第１の時間又は指定された呼のための第２の時間を備える請求項３１に記載の方法。
【請求項３３】
前記端末の電源投入時点又は手動による再起動時点で前記予め決められた時間の間前記端末による移動性管理及び接続管理のためのシグナリングを可能にすることと、
前記予め決められた時間後に前記端末によって移動性管理及び接続管理のためのシグナリングを送信することを回避すること、とをさらに備える請求項２３に記載の方法。
【請求項３４】
前記予め決められた時間内における前記端末に関するネットワーク接続、所在位置の更新、ページング要求への応答、及び許容されたサービスの再構成のために前記無線ネットワークとシグナリングを交換することをさらに備える請求項３３に記載の方法。
【請求項３５】
装置であって、
緊急呼（ｅＣａｌｌ）及び指定された呼を除き移動性管理（ＭＭ）及び接続管理（ＣＭ）のためのシグナリングを端末によって無線ネットワークに送信することを避けるための手段と、
前記端末によって開始されたｅＣａｌｌ又は指定された呼のために前記端末によってシグナリングを交換するための手段と、を備える、装置。
【請求項３６】
移動性管理及び接続管理のためのシグナリングを送信することを回避するための前記手段は、前記ｅＣａｌｌ又は指定された呼の前に前記端末によって所在位置の更新を行うことを回避するための手段を備える請求項３５に記載の装置。
【請求項３７】
前記ｅＣａｌｌ又は指定された呼のために前記端末によってシグナリングを交換するための前記手段は、
前記ｅＣａｌｌ又は指定された呼が開始された後に無線ネットワークとの所在位置の更新を行うための手段と、
前記ｅＣａｌｌ又は指定された呼のために前記無線ネットワークとの呼の確立を行うための手段と、を備える請求項３５に記載の装置。
【請求項３８】
呼の確立を行うための前記手段は、呼の確立のためのｅＣａｌｌインジケータを備えるメッセージを送信するための手段を備え、前記ｅＣａｌｌインジケータは、前記ｅＣａｌｌが前記端末によって自動的に開始されたかどうかを示す第１のビットと、前記ｅＣａｌｌがユーザによって手動で開始されたかどうかを示す第２のビットと、を備える請求項３７に記載の装置。
【請求項３９】
前記ｅＣａｌｌ又は指定された呼の終了後の予め決められた時間の間前記端末による移動性管理及び接続管理のためのシグナリングを可能にするための手段と、
前記予め決められた時間後に前記端末によって移動性管理及び接続管理のためのシグナリングを送信することを回避するための手段と、をさらに備える請求項３５に記載の装置。  
【請求項４０】
前記端末の電源投入時点又は手動による再起動時点で前記予め決められた時間の間前記端末による移動性管理及び接続管理のためのシグナリングを可能にするための手段と、
前記予め決められた時間後に前記端末によって移動性管理及び接続管理のためのシグナリングを送信することを回避するための手段と、をさらに備える請求項３５に記載の装置。
【請求項４１】
緊急呼（ｅＣａｌｌ）の確立をサポートする方法であって、
ｅＣａｌｌ及び指定された呼を除き端末から移動性管理（ＭＭ）及び接続管理（ＣＭ）のためのシグナリングを受信しないことと、
前記端末によって開始されたｅＣａｌｌ又は指定された呼のために前記端末とシグナリングを交換すること、とを備える、緊急呼（ｅＣａｌｌ）の確立をサポートする方法。
【請求項４２】
移動性管理及び接続管理のためのシグナリングを前記受信しないことは、前記ｅＣａｌｌ及び指定された呼の前に前記端末から所在位置の更新のためのシグナリングを受信しないことを備える請求項４１に記載の方法。
【請求項４３】
前記ｅＣａｌｌ又は指定された呼のために前記端末とシグナリングを前記交換することは、
前記ｅＣａｌｌ又は指定された呼が開始されたときに前記端末との所在位置の更新を行うことと、
前記ｅＣａｌｌ又は指定された呼のために前記端末との呼の確立を行うこと、とを備える請求項４１に記載の方法。
【請求項４４】
緊急呼（ｅＣａｌｌ）の確立をサポートするための装置であって、
ｅＣａｌｌ及び指定された呼を除き端末から移動性管理（ＭＭ）及び接続管理（ＣＭ）のためのシグナリングを受信しないための手段と、
前記端末によって開始されたｅＣａｌｌ又は指定された呼のために前記端末とシグナリングを交換するための手段と、を備える、緊急呼（ｅＣａｌｌ）の確立をサポートするための装置。
【請求項４５】
移動性管理及び接続管理のためのシグナリングを受信しないための前記手段は、前記ｅＣａｌｌ又は指定された呼の前に前記端末から所在位置の更新のためのシグナリングを受信しないための手段を備える請求項４４に記載の装置。
【請求項４６】
前記ｅＣａｌｌ又は指定された呼のために前記端末とシグナリングを交換するための前記手段は、
前記ｅＣａｌｌ又は指定された呼が開始されたときに前記端末との所在位置の更新を行うための手段と、
前記ｅＣａｌｌ又は指定された呼のために前記端末との呼の確立を行うための手段と、を備える請求項４４に記載の装置。  
【発明の詳細な説明】
【技術分野】
【０００１】
３５Ｕ．Ｓ．Ｃ．§１１９に基づく優先権の主張
本特許出願は、すべてが“Ｓｕｐｐｏｒｔ  ｏｆ  Ｍｉｎｉｍａｌ  Ｎｅｔｗｏｒｋ  Ｓｉｇｎａｌｉｎｇ  ａｎｄ  Ｉｄｅｎｔｉｆｉｃａｔｉｏｎ  ｆｏｒ  ａｎ  ｅＣａｌｌ  Ｔｅｒｍｉｎａｌ”（ｅＣａｌｌ端末のための最小限のネットワークシグナリング及び識別のサポート）という題名を有し、ここの譲受人に割り当てられており、引用されることによって明示でここに組み入れられている、米国仮特許出願一連番号第６１／０４１，８７３号（出願日：２００８年４月２日）、米国仮特許出願一連番号第６１／０４８，１１６号（出願日：２００８年４月２５日）、及び米国仮特許出願一連番号第６１／０６１，５８６号（出願日：２００８年６月１３日）、に対する優先権を主張するものである。
【０００２】
本開示は、概して、通信に関するものである。本開示は、より具体的には、緊急呼をサポートするための技法に関するものである。
【背景技術】
【０００３】
様々な通信サービス、例えば、音声、映像、パケットデータ、メッセージ伝送、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。該多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークと、を含む。
【０００４】
無線ネットワークは、複数の端末のための通信をサポートすることができる。端末は、緊急の出来事に応答して緊急呼を行うことができる。緊急呼は、緊急サービス（例えば、警察、火災、医療、又はその他の緊急サービス）のための呼であり、緊急サービス呼と呼ばれることもある。緊急呼は、ユーザがよく知られた緊急番号、例えば北米における“９１１”又は欧州における“１１２”、をダイヤルすることによって開始することができる。シグナリングオーバーヘッドを低減させるために緊急呼のためのシグナリングを端末と無線ネットワークとの間において効率的に交換するのが望ましいであろう。
【発明の概要】
【０００５】
ここにおいては、ｅＣａｌｌをサポートするための技法が説明される。ｅＣａｌｌは、（ｉ）引き金となる出来事（例えば、車両が事故に巻き込まれる）に起因して無線端末によって自動的に開始するか又はユーザによって手動で開始することができ及び（ｉｉ）端末によって受信主体、例えば緊急通報受信センター（ＰＳＡＰ）、に対して自動的に送信される追加データを含むことができる緊急呼である。前記追加データは、車両の識別と、車両位置と、引き金となる出来事と、等を含むことができ、及び、音声経路に沿ってインバンドで又は別個のシグナリング又はデータ／テキスト転送を介してアウトオブバンドで送信することができる。ｅＣａｌｌをサポートする端末は、（ｉ）通常のサービス、例えば、音声呼、パケットデータ、テキストメッセージ、映像、等、に加入契約する通常の無線端末、又は（ｉｉ）ｅＣａｌｌ専用端末と呼ばれる、ｅＣａｌｌのみをサポートする端末、であることができる。ｅＣａｌｌは、（ユーザが“９１１”をダイヤルすることによって開始される緊急呼に類似する）緊急呼と、追加のデータを受信主体に自動的に送信すること、とを備える。
【０００６】
一態様において、ｅＣａｌｌを確立中であることを示すためにｅＣａｌｌインジケータを用いることができる。一設計においては、端末は、ｅＣａｌｌインジケータを備えるメッセージを生成することができ及びｅＣａｌｌを発生させる（ｇｅｎｅｒａｔｅ）ために前記メッセージを送信することができる。一設計においては、前記ｅＣａｌｌインジケータは、呼がｅＣａｌｌであるかどうかを示すことができる。他の設計においては、前記ｅＣａｌｌインジケータは、呼が（ｉ）前記端末によって自動的に開始されたｅＣａｌｌであるか又は（ｉｉ）ユーザによって手動で開始されたｅＣａｌｌであるかを示すことができる。前記ｅＣａｌｌインジケータは、その他の情報を伝えることも可能である。
【０００７】
前記ｅＣａｌｌインジケータは、様々な方法で実装することができる。第１の設計においては、前記メッセージは、前記ｅＣａｌｌインジケータのために用いられる少なくとも１つのビットを有するサービスカテゴリ情報要素を備えることができる。第２の設計においては、前記メッセージは、前記ｅＣａｌｌインジケータを備える新しい情報要素を備えることができる。第３の設計においては、前記メッセージは、前記ｅＣａｌｌインジケータのために用いられる少なくとも１つの値を有する接続管理（ＣＭ）サービスタイプ情報要素を備えることができる。第４の設計においては、前記メッセージは、前記ｅＣａｌｌインジケータのために用いられる少なくとも１つのフラグを有する移動局（ＭＳ）クラスマーク２情報要素を備えることができる。第５の設計においては、前記メッセージは、前記ｅＣａｌｌインジケータのために予約され及び用いられる被呼者番号を備えることができる。前記ｅＣａｌｌインジケータは、その他の方法で搬送することも可能である。
【０００８】
他の態様においては、ｅＣａｌｌ専用端末は、ｅＣａｌｌ及び指定された呼を除き、移動性管理（ＭＭ）及び接続管理（ＣＭ）のためのシグナリングを無線ネットワークに送信することを回避することができる。前記指定された呼は、ｅＣａｌｌ機能を試験するための呼、前記端末を再構成するための呼、及び／又はその他の特に定義された呼を備えることができる。例えば、指定された呼は、端末の再構成（例えば、ｅＣａｌｌ専用端末を、ｅＣａｌｌに加えて通常のサービスを提供可能な端末に転換する）を要求するために及び前記端末が正確に作動していることを検証するために用いることができる顧客サービスと関連づけられたホーム無線オペレータによって割り当てられた特定の番号に対して行うのを許容することができる。前記ｅＣａｌｌ専用端末は、電源が投入された後に定期的に無線ネットワークを探すことができるが、検出されたネットワークに対してシグナリングを送信することを回避することができる。前記端末は、所在位置の更新を行うこと、登録を行うこと、ページング要求に応答すること、等を回避することができる。前記端末は、前記端末によって開始されたｅＣａｌｌ又は指定された呼のために無線ネットワークとシグナリングを交換することができる。一設計においては、前記ｅＣａｌｌ又は指定された呼が開始された後に、前記端末は、前記無線ネットワークとの所在位置の更新及び前記ｅＣａｌｌ又は指定された呼のための呼の確立を行うことができる。
【０００９】
本開示の様々な態様及び特徴が以下においてさらに詳細に説明される。
【図面の簡単な説明】
【００１０】
【図１】典型的なネットワーク配備を示した図である。
【図２】端末によってｅＣａｌｌを確立するためのメッセージフローを示した図である。
【図３】ｅＣａｌｌインジケータを搬送する緊急ＳＥＴＵＰメッセージを示した図である。
【図４】ｅＣａｌｌインジケータを搬送するＣＭサービス要求メッセージを示した図である。
【図５】ｅＣａｌｌインジケータを搬送するＳＥＴＵＰメッセージを示した図である。
【図６】ｅＣａｌｌの確立のために端末によって実行されるプロセスを示した図である。
【図７】ｅＣａｌｌの確立をサポートするためにネットワークによって実行されるプロセスを示した図である。
【図８】通常のシグナリングを用いる端末の動作を示した図である。
【図９】低減されたシグナリングを用いるｅＣａｌｌ専用端末の動作を示した図である。
【図１０】ｅＣａｌｌ専用端末に関する状態図を示した図である。
【図１１】端末によって実行されるプロセスを示した図である。
【図１２】無線ネットワークによって実行されるプロセスを示した図である。
【図１３】端末、基地局、及びＭＳＣのブロック図である。
【発明を実施するための形態】
【００１１】
図１は、典型的なネットワーク配備１００を示し、訪問先ネットワーク（ｖｉｓｉｔｅｄ  ｎｅｔｗｏｒｋ）１０２と、ホームネットワーク１０４と、第三者ネットワーク１０６と、を含むことができる。訪問先ネットワーク１０２は、訪問先公衆陸上移動通信ネットワーク（Ｖ−ＰＬＭＮ）、サービングネットワーク（ｓｅｒｖｉｎｇ  ｎｅｔｗｏｒｋ）、等と呼ばれることもある。ホームネットワーク１０４は、ホームＰＬＭＮ（Ｈ−ＰＬＭＮ）と呼ばれることもある。訪問先ネットワーク１０２は、以下の説明の多くの部分において想定されるように、ホームネットワーク１０４からローミングしていることがある端末１１０のためのサービングネットワークであることができる。訪問先ネットワーク１０２及びホームネットワーク１０４は、端末１１０がローミングしていない場合は同じネットワークであることができる。
【００１２】
訪問先ネットワーク１０２は、無線アクセスネットワーク（ＲＡＮ）１２０と、移動体交換局（ＭＳＣ）／ビジタロケーションレジスタ（ＶＬＲ）１３０と、説明を単純化するために図１に示されていないその他のネットワークエンティティと、を含むことができる。ＲＡＮ１２０は、グローバル移動通信システム（ＧＳＭ（登録商標））ネットワーク、広帯域符号分割多元接続（ＷＣＤＭＡ）ネットワーク、汎用パケット無線サービス（ＧＰＲＳ）アクセスネットワーク、ロング・ターム・エボリューション（ＬＴＥ）ネットワーク、ＣＤＭＡ１Ｘネットワーク、高速パケットデータ（ＨＲＰＤ）ネットワーク、ウルトラモバイルブロードバンド（ＵＭＢ）ネットワーク、等であることができる。ＧＳＭ、ＷＣＤＭＡ、ＧＰＲＳ及びＬＴＥは、ユニバーサル移動体通信システム（ＵＭＴＳ）の一部であり、“第３世代パートナーシッププロジェクト”（３ＧＰＰ）という名称の組織から発行された文書において説明されている。ＣＤＭＡ１Ｘ及びＨＲＰＤは、ｃｄｍａ２０００の一部であり、ｃｄｍａ２０００及びＵＭＢは、“第３世代パートナーシッププロジェクト２”（３ＧＰＰ２）という名称の組織から発行された文書において説明されている。ＭＳＣ１３０は、回線交換呼のための交換機能を実行することができ及びショートメッセージサービス（ＳＭＳ）メッセージをルーティングすることもできる。ＶＬＲ１３０は、訪問先ネットワーク１０２に登録している端末のための登録情報を格納することができる。
【００１３】
ホームネットワーク１０４は、ホームロケーションレジスタ（ＨＬＲ）／認証センター（ＡＣ）１４０と、説明を単純化するために図１に示されないその他のネットワークエンティティと、を含むことができる。ＨＬＲ１４０は、ホームネットワーク１０４とのサービス加入契約を有する端末のための加入情報を格納することができる。ＡＣ１４０は、ホームネットワーク１０４とのサービス加入契約を有する端末のための認証を行うことができる。
【００１４】
第三者ネットワーク１０６は、ルータ１５０（例えば、ＰＳＡＰによって選択されたルータ）と、ＰＳＡＰ１６０と、公衆交換電話網（ＰＳＴＮ）１７０と、可能な場合は図１に示されないその他のネットワークエンティティと、を含むことができる。ルータ１５０は、ＭＳＣ１３０とＰＳＡＰ１６０との間で呼をルーティングすることができる。ルータ１５０は、ＭＳＣ１３０とＰＳＡＰ１６０との間で呼をルーティングすることができる。ＰＳＡＰ１６０は、緊急呼に応答することを担当することができ、緊急センター（ＥＣ）と呼ばれることもある。ＰＳＡＰ１６０は、政府機関、例えば、郡又は市、によって運用又は所有することができる。ＰＳＴＮ１７０は、従来の有線電話、例えば電話１８０、のための電話サービスを提供することができる。
【００１５】
図１は、訪問先ネットワーク１０２及びホームネットワーク１０４に存在することができるネットワークエンティティの一部のみを示す。例えば、訪問先ネットワーク１０２は、パケット交換呼及びその他のサービスをサポートするネットワークエンティティと、端末の所在位置を得るのを援助する所在位置サーバと、を含むことができる。
【００１６】
端末１１０は、静止型又は移動型であることができ、ＧＳＭ及びＣＤＭＡ１Ｘにおける移動局（ＭＳ）、ＷＣＤＭＡ及びＬＴＥにおけるユーザ装置（ＵＥ）、ＨＲＰＤにおけるアクセス端末（ＡＴ）、セキュア・ユーザ・プレーン・ロケーション（Ｓｅｃｕｒｅ  Ｕｓｅｒ  Ｐｌａｎｅ  Ｌｏｃａｔｉｏｎ）（ＳＵＰＬ）におけるＳＵＰＬイネーブルド端末（ＳＥＴ）、加入者ユニット、局、等と呼ばれることもある。端末１１０は、無線通信信号及び／又はナビゲーション信号を受信することが可能なデバイス、例えば、携帯電話又はその他の無線通信デバイス、パーソナル通信システム（ＰＣＳ）デバイス、パーソナルナビゲーションデバイス（ＰＮＤ）、パーソナル情報マネージャ（ＰＩＭ）、パーソナルデジタルアシスタント（ＰＤＡ）、ラップトップ又はその他の適切なモバイルデバイス、であることができる。端末１１０は、例えば短距離の無線、赤外線、有線接続、又はその他の接続によって、パーソナルナビゲーションデバイス（ＰＮＤ）と通信するデバイスであることもでき、衛星信号の受信、援助データの受信、及び／又は位置関連処理がそのデバイスにおいて又はＰＮＤにおいて生じるかどうかを問わない。さらに、端末１１０は、例えばインターネット、ＷｉＦｉ、又はその他のネットワークを介してサーバと通信することが可能な無線通信デバイス、コンピュータ、ラップトップを含むすべてのデバイスを含むことが意図され、衛星信号の受信、援助データの受信、及び／又は位置関連処理が、そのデバイスにおいて、サーバにおいて、又はネットワークと関連づけられた他のデバイスにおいて生じるかどうかを問わない。上記のいずれの動作可能な組み合わせも含まれる。端末１１０は、車両（及びおそらく車両の一部）に永久に取り付けることができる専用車両搭載システム（ＩＶＳ）であることもできる。
【００１７】
端末１１０は、図１に示されるように、ホームネットワーク１０４とサービス加入契約を有することができ及び訪問先ネットワーク１０２内をローミング中であることができる。端末１１０は、訪問先ネットワーク１０２においてＲＡＮ１２０から信号を受信することができ又は通信サービスを得るためにＲＡＮと通信することができる。端末１１０は、ローミングしていないときに（図１に示されない）通信サービスのためにホームネットワーク１０４と通信することもできる。端末１１０は、衛星測位システム（ＳＰＳ）の一部であることができる１つ以上の衛星１９０から信号を受信することもできる。ＳＰＳは、典型的には、エンティティが送信機から受信された信号に少なくとも部分的に基づいて地球上又は地球の上方における所在位置を決定するのを可能にするために配置された送信機のシステムを含む。該送信機は、典型的には、一組の数のチップの繰り返し（ｒｅｐｅａｔｉｎｇ）疑似ランダム雑音（ＰＮ）符号によって表示された信号を送信し、地上に配置された管制局、ユーザ装置及び／又は宇宙ビークルに配置することができる。特定の例においては、該送信機は、地球軌道を周回する衛星ビークル（ＳＶ）上に配置することができる。例えば、全地球航法衛星システム（ＧＮＳＳ）、例えば、全地球測位システム（ＧＰＳ）、ガリレオ、グロナス又はコンパスの一群におけるＳＶは、（例えば、ＧＰＳにおけるように各衛星に関して異なるＰＮ符号を用いるか又はグロナスにおけるように異なる周波数において同じ符号を用いる）その一群内のその他のＳＶによって送信されたＰＮ符号と区別可能なＰＮ符号によって表示された信号を送信することができる。一態様により、ここにおいて提示される技法は、ＳＰＳのためのグローバルシステム（例えば、ＧＮＳＳ）に制限されない。例えば、ここにおいて提供される技法は、様々な地域システム、例えば、日本上空の準天頂衛星システム（ＱＺＳＳ）、インド上空のインド地域航法衛星システム（ＩＲＮＳＳ）、中国上空の北斗、等、及び／又は１つ以上の地球的な及び／又は地域的な航法衛星システムと関連づけることができるか又はこれらの航法衛星システムとともに用いるために使用可能にすることができる様々な補強システム（例えば、静止衛星型衛星航法補強システム（ＳＢＡＳ））に対して応用すること又はこれらの様々な地域システムにおいて用いるために使用可能にすることができる。一例として、ただし制限することなしに、ＳＢＡＳは、完全性情報、微分補正、等を提供する補強システム、例えば、広域補強システム（ＷＡＡＳ）、欧州静止衛星利用航法オーバーレイサービス（ＥＧＮＯＳ）、運輸多目的衛星用衛星航法補強システム（ＭＳＡＳ）、ＧＳＰ補助静止衛星型補強航法又はＧＳＰ及び静止衛星型補強航法システム（ＧＡＧＡＮ）、等を含むことができる。このように、ここにおいて用いられる場合において、ＳＰＳは、１つ以上の全地球的な及び／又は地域的な航法衛星システム及び／又は補強システムの組み合わせを含むことができ、及び、ＳＰＳ信号は、ＳＰＳ信号、ＳＰＳに類似する信号、及び／又は該１つ以上のＳＰＳと関連づけられたその他の信号を含むことができる。端末１１０は、衛星１９０からの信号を測定し、それらの衛星に関する疑似距離測定値を得ることができる。端末１１０は、ＲＡＮ１２０における基地局からの信号を測定すること及びそれらの基地局に関するタイミング及び／又は信号強度測定値を得ることもできる。疑似距離測定値、タイミング測定値及び／又は信号強度測定値は、端末１１０に関する位置推定値を導出するために用いることができる。位置推定値は、所在位置推定値、位置フィックス、等と呼ばれることもある。
【００１８】
端末１１０は、端末に割り当てられた一意の番号である国際移動体装置識別番号（ＩＭＥＩ）を有することができる。端末１１０は、ユーザのサービス加入のために用いることができる。サービス加入は、ＧＳＭネットワーク及びＵＭＴＳネットワークのための加入に割り当てられた一意の番号である国際移動体加入者識別番号（ＩＭＳＩ）と関連づけることができる。サービス加入は、サービス加入のための電話番号である移動体加入者総合サービスデジタルネットワーク番号（ＭＳＩＳＤＮ）と関連づけることもできる。ＩＭＳＩは、ＨＬＲ１４０における加入者データベース内のサービス加入のためのキーとして用いることができる。ＭＳＩＳＤＮは、サービス加入のために用いられる端末１１０に呼を接続するためにその他のユーザによってダイヤルすることができる。ＩＭＳＩ、ＭＳＩＳＤＮ、及びその他の加入情報は、端末１１０内に挿入することができる加入者識別モジュール（ＳＩＭ）又は汎用加入者識別モジュール（ＵＳＩＭ）に格納することができる。端末１１０は、ＳＩＭ／ＵＳＩＭを有さないこともでき、その場合は、端末１１０は、ＩＭＥＩのみを有し、ＩＭＳＩ及びＭＳＩＳＤＮを有さないことができる。
【００１９】
無線ネットワークは、異なるタイプの緊急呼をサポートするのを要求されることがある。１つのタイプは、ユーザがよく知られた緊急番号、例えば北米における“９１１”及び欧州における“１１２”、をダイヤルすることによって発生された“通常の”緊急呼を含むことができる。他のタイプは、上述される特徴を有することができる緊急呼であるｅＣａｌｌを含むことができる。ｅＣａｌｌのサポートは、欧州連合によって及びその他の世界の地域及び／又は諸国によって要求されることがある。ｅＣａｌｌは、その呼が行われる方法及びそのｅＣａｌｌを確立するために送信すること及びそのｅＣａｌｌを処理するために用いることができる追加の緊急関連データの点で通常の緊急呼と異なることができる。例えば、追加データは、ｅＣａｌｌがどのようにして開始されたか、車両の型式と車両識別番号（ＶＩＮ）、タイムスタンプ、位置推定値と位置信頼度フラグ、走行方向、乗員（例えばシートベルトが締められた乗員）の数、端末に関するサービスプロバイダ（存在する場合）、発呼の引き金の種類（例えば、配備されたエアバッグ、バンパーセンサ、等）、及び可能な場合におけるその他の情報を示すことができる。追加データは、端末の正確な地理上の所在位置をＰＳＡＰに提供するのを可能にすることができる。
【００２０】
図２は、図１の端末１１０によってｅＣａｌｌを確立するためのメッセージフロー２００の設計を示す。説明を単純化するために、図２においては幾つかのネットワークエンティティ（例えば、ＲＡＮ１２０）及び該当度がより低いシグナリングメッセージは示されない。端末１１０は、最初に、サービング基地局への無線アクセスを取得することができ及びサービスを要求するためにＣＭサービス要求メッセージをＭＳＣ／ＶＬＲ１３０に送信することができる（ステップ１）。ＭＳＣ／ＶＬＲ１３０は、メッセージを受信することができ及びＣＭサービス受諾メッセージで応答することができる（ステップ２）。端末１１０は、ｅＣａｌｌを発生させるために緊急ＳＥＴＵＰメッセージを送信することができる（ステップ３）。ＭＳＣ／ＶＬＲ１３０は、メッセージを受信することができ及び端末１１０のための呼を発生させるために初期アドレスメッセージをルータ１５０に送信することができる（ステップ４）。ルータ１５０は、端末１１０のために呼を確立するために呼セットアップメッセージをＰＳＡＰ１６０に送信することができる（ステップ５）。ＰＳＡＰ１６０は、接続メッセージをルータ１５０に返信することができ（ステップ６）、ルータ１５０は、応答メッセージをＭＳＣ／ＶＬＲ１３０に返信することができる（ステップ７）。ＭＳＣ／ＶＬＲ１３０は、接続メッセージを端末１１０に返信することができる（ステップ８）。端末１６０は、ＰＳＡＰ１６０への起こりうる転送のためにｅＣａｌｌに関する追加データをネットワークに転送することができる（ステップ９）。追加データの転送は、ステップ３、４及び５において又はステップ９以前のその他のいずれかのステップにおいて行うことも可能である。いずれの場合においても、ｅＣａｌｌは、ステップ８及び９の後に端末１１０のために確立することができる。これで、端末１１０は、ｅＣａｌｌのためにＰＳＡＰ１６０と通信することができる。
【００２１】
ｅＣａｌｌは、（例えば、車両の衝突に起因して）端末１１０によって自動的に又はユーザ（例えば、車両の占有者）によって手動で開始することができる。端末１１０は、ｅＣａｌｌ機能をサポートするいずれかのデバイス、例えば、携帯電話、ＩＶＳ、等であることができる。一設計においては、端末１１０は、緊急呼のセットアップの際にｅＣａｌｌインジケータを提供することができる。ｅＣａｌｌインジケータは、次のうちの１つを伝えることができる。
【００２２】
・ユーザによって発生された手動で開始されたｅＣａｌｌ（ＭＩｅＣ）
・端末によって発生された自動的に開始されたｅＣａｌｌ（ＡＩｅＣ）  
ｅＣａｌｌインジケータは、ｅＣａｌｌを通常の緊急呼と区別するために、ｅＣａｌｌをフィルタリングするか又は該当するＰＳＡＰ（例えば、ｅＣａｌｌを受信する装備を有するＰＳＡＰ）にルーティングするために、及び／又はその他の目的のために無線ネットワークによって用いることができる。ｅＣａｌｌインジケータは、緊急呼のセットアップ中に様々な方法で端末１１０によって搬送することができる。ｅＣａｌｌインジケータは、ＣＭサービス要求メッセージ、緊急ＳＥＴＵＰメッセージ、ＳＥＴＵＰメッセージ、又は端末１１０によって送信されるその他のメッセージにおいて送信することができる。
【００２３】
図３は、ｅＣａｌｌインジケータを搬送することができる緊急ＳＥＴＵＰメッセージ３００の設計を示す。緊急ＳＥＴＵＰメッセージは、様々な情報要素（ＩＥ）を含むことができ、その１つは、端末によって呼び出し中のサービスに関する情報を無線ネットワークに提供するために用いられるサービスカテゴリＩＥであることができる。ｅＣａｌｌに関して、サービスカテゴリＩＥは、（ｉ）サービスカテゴリＩＥに割り当てられた特定の値に設定することができるサービスカテゴリＩＥ識別子（ＩＥＩ）と、（ｉｉ）サービスカテゴリＩＥの長さを示すことができるサービスカテゴリフィールドの長さと、（ｉｉｉ）ｅＣａｌｌのための情報を提供することができる緊急サービスカテゴリ値フィールドと、を含むことができる。
【００２４】
図３に示される設計において、ｅＣａｌｌインジケータは、緊急サービスカテゴリ値フィールドにおける２つのビットによって実装することができる。１つのビット（ビットｘと呼ばれる）は、自動的に開始されたｅＣａｌｌであること伝えるために“１”に設定し、その他の場合は“０”に設定することができる。他方のビット（ビットｙと呼ばれる）は、手動で開始されたｅＣａｌｌであることを伝えるために“１”に設定され、その他の場合は“０”に設定することができる。他の設計においては、ｅＣａｌｌインジケータは、単一のビットを用いて実装することができ、ｅＣａｌｌであることを示すために“１”に設定し、その他の場合は“０”に設定することができる。ｅＣａｌｌインジケータは、サービスカテゴリＩＥにおいてその他の方法で実装することもできる。
【００２５】
他の設計においては、ｅＣａｌｌインジケータを搬送するために新しいＩＥを定義することができる。この新しいＩＥには別個のＩＥＩを割り当てることができ及び１ビット又は２ビットを有するｅＣａｌｌインジケータを搬送することができ、サービスカテゴリＩＥに関する上記の説明に従って設定することができる。
【００２６】
図４は、ｅＣａｌｌインジケータを搬送することができるＣＭサービス要求メッセージ４００の設計を示す。ＣＭサービス要求メッセージは、様々なＩＥ、例えば、いずれのサービスが無線ネットワークに要求されているかを指定するために用いられるＣＭサービスタイプＩＥ、を含むことができる。ＣＭサービスタイプＩＥは、（ｉ）ＣＭサービスタイプＩＥに割り当てられた特定の値に設定することができるＩＥＩと、（ｉｉ）要求されたサービスを示すことができるサービスタイプフィールドと、を含むことができる。
【００２７】
一設計においては、ｅＣａｌｌに関して、サービスタイプフィールドの１つ以上の値を予約すること及びｅＣａｌｌインジケータを伝えるために用いることができる。一設計においては、ｅＣａｌｌインジケータのために単一の値を予約することができる。サービスタイプフィールドは、ｅＣａｌｌのための緊急サービスを要求するためにこの予約された値に設定することができる。他の設計においては、ｅＣａｌｌインジケータのために２つの値を予約することができる。サービスタイプフィールドは、（ｉ）手動で開始されたｅＣａｌｌのための緊急サービスを要求するために第１の予約された値又は（ｉｉ）自動的に開始されたｅＣａｌｌのための緊急サービスを要求するために第２の予約された値に設定することができる。
【００２８】
ＣＭサービス要求メッセージは、端末に関する情報を無線ネットワークに提供するために用いられるＭＳクラスマーク２ＩＥを含むこともできる。このＩＥのオクテット1は、ＭＳクラスマーク２ＩＥのためのＩＥＩを含むことができる。オクテット２は、ＭＳクラスマーク２ＩＥの長さを含むことができる。オクテット３、４及び５は、公に入手可能である３ＧＰＰ  ＴＳ２４．００８、“モバイル無線インタフェース層３仕様；コアネットワークプロトコル；ステージ３”において説明される様々なフィールド／フラグを含むことができる。図４に示されるように、ＭＳクラスマーク２ＩＥには３つの予備ビット／フラグが存在することができ及び通常は“０”に設定することができる。一設計においては、ｅＣａｌｌインジケータのために１つの予備ビット（例えば、オクテット３のビット８）を用いることができ及びｅＣａｌｌ専用端末であることを示すために“１”に設定すること又はその他の場合は“０”に設定することができる。他の設計においては、ｅＣａｌｌインジケータのために２つの予備ビットを用いることができる。１つの予備ビット（例えば、オクテット３のビット８）は、自動的に開始されたｅＣａｌｌ専用端末を示すために“１”に設定すること又はその他の場合は“０”に設定することができる。他の予備ビット（例えば、オクテット５のビット７）は、手動で開始されたｅＣａｌｌ専用端末であることを示すために“１”に設定すること又はその他の場合は“０”に設定することができる。
【００２９】
図５は、ｅＣａｌｌインジケータを搬送することができるＳＥＴＵＰメッセージ５００の設計を示す。ＳＥＴＵＰメッセージは、様々なＩＥ、例えば被呼者を識別するために用いられる被呼者ＢＣＤ番号ＩＥ、を含むことができる。このＩＥのオクテット１は、被呼者ＢＣＤ番号ＩＥのためのＩＥＩを含むことができる。オクテット２は、被呼者ＢＣＤ番号ＩＥの長さを含むことができる。オクテット３は、被呼者番号タイプと、被呼者番号に関して適用可能な番号付与プラン（ｎｕｍｂｅｒｉｎｇ  ｐｌａｎ）と、を含むことができる。各々の後続するオクテットは、被呼者番号の最大で２つの桁を含むことができる。
【００３０】
一設計においては、ｅＣａｌｌインジケータのために予約された被呼者番号を用いることができ及びｅＣａｌｌを示すためにＳＥＴＵＰメッセージにおいて送信することができる。他の設計においては、ｅＣａｌｌインジケータのために２つの予約された被呼者番号を用いることができる。手動で開始されたｅＣａｌｌを示すために第１の予約された被呼者番号をＳＥＴＵＰメッセージにおいて送信することができる。自動的に開始されたｅＣａｌｌを示すために第２の予約された被呼者番号をＳＥＴＵＰメッセージにおいて送信することができる。
【００３１】
一設計においては、予約された被呼者番号は、すべての又は多くのネットワークオペレータによってｅＣａｌｌのために予約することができる完全な電話番号であることができる。他の設計においては、予約された被呼者番号は、従来の緊急番号の拡張番号であることができる。例えば、北米においては、自動的に又は手動で開始されたｅＣａｌｌのために“９１１−１”及び“９１１−２”を予約された被呼者番号としてそれぞれ用いることができる。対応して、欧州においては、自動的に又は手動で開始されたｅＣａｌｌのために“１１２−１”及び“１１２−２”を予約された被呼者番号としてそれぞれ用いることができる。ｅＣａｌｌのためにその他の電話番号を予約及び使用することもできる。
【００３２】
さらに他の設計においては、ｅＣａｌｌ専用端末であることを示すためにＨＬＲからの加入情報を用いることができる。図１において、端末１１０は、訪問先ネットワーク１０２とのｅＣａｌｌを発生させることができ及び呼のセットアップ前に登録を行うことができる。登録のために、訪問先ネットワーク１０２内のＶＬＲ１３０は、端末１１０のための加入情報を入手するためにホームネットワーク１０４におけるＨＬＲ１４０と通信することができる。ＨＬＲ１４０は、端末１１０がｅＣａｌｌ専用端末であることを示す情報を提供することができる。これで、訪問先ネットワーク１０２は、ｅＣａｌｌのためのサービスを端末１１０に提供することができる。
【００３３】
ｅＣａｌｌインジケータの様々な設計が上述されており、ｅＣａｌｌが端末によって行われていることを明示するために用いることができる。これらの設計の一部又は全部は、例えば車両事故に起因して、ユーザ自身によって手動で開始されたｅＣａｌｌと端末自体によって自動的に開始されたｅＣａｌｌとを区別することもできる。ｅＣａｌｌインジケータは、その他のメッセージにおいて及び／又は上述される以外のその他のフィールド、ビット、及び値を用いて搬送することも可能である。
【００３４】
図６は、ｅＣａｌｌの確立のために端末によって実行されるプロセス６００の設計を示す。端末は、ｅＣａｌｌインジケータを備えるメッセージを生成することができる（ブロック６１２）。メッセージは、ＣＭサービス要求メッセージ、緊急ＳＥＴＵＰメッセージ、ＳＥＴＵＰメッセージ、又はその他のメッセージを備えることができる。端末は、ｅＣａｌｌを発生させるためにメッセージを送信することができる（ブロック６１４）。
【００３５】
第１の設計においては、メッセージは、例えば図３に示されるように、ｅＣａｌｌインジケータのために用いられる少なくとも１つのビットを有するサービスカテゴリ情報要素を備えることができる。一設計においては、ｅＣａｌｌインジケータのために用いられる少なくとも１つのビットは、（ｉ）ｅＣａｌｌが端末によって自動的に開始されたかどうかを示す第１のビットと、（ｉｉ）ｅＣａｌｌがユーザによって手動で開始されたかどうかを示す第２のビットと、を備えることができる。他の設計においては、ｅＣａｌｌインジケータのために用いられる少なくとも１つのビットは、ｅＣａｌｌが開始中であるかどうかを示す単一のビットを備えることができる。
【００３６】
第２の設計においては、メッセージは、ｅＣａｌｌインジケータを備える新しい情報要素を含むことができる。第３の設計においては、メッセージは、例えば図４に示されるように、ｅＣａｌｌインジケータのために用いられる少なくとも１つの値を有するＣＭサービスタイプ情報要素を備えることができる。第４の設計においては、メッセージは、例えば図４に示されるように、ｅＣａｌｌインジケータのために用いられる少なくとも１つのフラグを有するＭＳクラスマーク２情報要素を備えることができる。第５の設計においては、メッセージは、例えば図５に示されように、ｅＣａｌｌインジケータのために予約された被呼者番号を備えることができる。ｅＣａｌｌインジケータは、その他の方法で、例えば、その他のメッセージ、その他の情報要素、その他のビット又は値、等を用いて搬送することもできる。
【００３７】
図７は、ｅＣａｌｌの確立をサポートするために無線ネットワークによって実行されるプロセス７００の設計を示す。ネットワークは、端末からｅＣａｌｌを発生させるためのメッセージを受信することができる（ブロック７１２）。ネットワークは、メッセージからｅＣａｌｌインジケータを得ることができる（ブロック７１４）。ネットワークは、ｅＣａｌｌインジケータに基づいてｅＣａｌｌが端末によって自動的に開始されたか又はユーザによって手動で開始されたかを決定することができる（ブロック７１６）。一設計においては、メッセージは、ｅＣａｌｌインジケータのために用いられる第１及び第２のビットを有するサービスカテゴリ情報要素を備えることができる。第１のビットは、ｅＣａｌｌが端末によって自動的に開始されたかどうかを示すことができ、第２のビットは、ｅＣａｌｌがユーザによって手動で開始されたかどうかを示すことができる。ｅＣａｌｌインジケータは、その他の方法で搬送することも可能である。
【００３８】
多数のｅＣａｌｌ専用端末を、例えば車両及びその他の場所において配備することができる。これらのｅＣａｌｌ専用端末は、長時間電源を投入した状態であることができるが、ｅＣａｌｌを発生させることはめったにない。無線ネットワークに関するシグナリングオーバーヘッドを低減させるためにｅＣａｌｌ専用端末によって交換されるシグナリングの量を低減させることが望ましいことがある。
【００３９】
図８は、通常のシグナリングを用いる端末１１０の動作８００を示す。端末１１０は、電源が投入された時点で、サービスを得ることができる無線ネットワークを探すことができる。次に、端末１１０は、検出されたネットワークへの登録及び該ネットワークとの所在位置の更新を行うことができる。登録は、ネットワークが端末の存在を知るのを可能にすることができる。所在位置の更新は、着呼に関して端末をページングできるようにするためにネットワークが端末の所在位置を入手するのを可能にすることができる。その後は、端末１１０は、より良いセル及び／又はネットワークを定期的に探すことができる。端末１１０は、より良いセル又はネットワークを検出した時点で、必要な場合は、所在位置の更新及び該当する場合の登録を行うことができる。端末１１０は、ｅＣａｌｌを発生させるために何時でも呼の確立を行うことができる。これで、端末１１０は、ｅＣａｌｌのためにＰＳＡＰと通信することができる。端末１１０は、ｅＣａｌｌの終了後に登録取り消しを行うことができる。
【００４０】
端末１１０は、移動性及びネットワークカバレッジに依存して、何回でも及びどのような頻度でも所在位置の更新を行うことができる。端末１１０は、所在位置の更新の各例に関して無線ネットワークとシグナリングを交換することができる。端末１１０は、ｅＣａｌｌを非常にまれにしか行わないことがあり、所在位置の更新のほとんどの例において交換される情報は使用されないことがある。このため、ｅＣａｌｌ専用端末が呼の確立前に所在位置の更新を何度も行うことは非常に非効率的である場合がある。
【００４１】
図９は、低減されたシグナリング（ｒｅｄｕｃｅｄ  ｓｉｇｎａｌｉｎｇ）を用いる端末１１０の動作９００を示し、端末１１０は、ｅＣａｌｌ専用端末であることができる。端末１１０は、電源が投入された時点で、サービスを得ることができる無線ネットワークを探すことができる。端末１１０は、検出されたネットワークからネットワーク利用可能性情報、タイミング情報、及び／又はその他のシステム情報を入手することができ及び必要な場合はｅＣａｌｌを確立するために用いる可能性のために情報を格納することができる。端末１１０は、移動性管理（ＭＭ）及び接続管理（ＣＭ）のためのシグナリングを送信することを回避することができ及び検出されたネットワークとの無線封止（ｒａｄｉｏ  ｓｉｌｅｎｃｅ）を維持することができる。無線ネットワークは、端末１１０の存在を認識していないことができる。端末１１０は、より良いセル及び／又はネットワークを定期的に探すことができ及び可能性のあるサービングネットワーク及び可能性のあるサービングセルのためにその情報を更新することができる。
【００４２】
端末１１０は、例えばユーザ又は引き金となる出来事からｅＣａｌｌを発生させることの指示を受信することができる。それに応答して、端末１１０は、直近において検出されたネットワークへの登録及び該ネットワークとの所在位置の更新を行うことができる。これで、端末１１０は、例えば図２に示されるように、ｅＣａｌｌのための呼の確立を行うことができる。概して、端末１１０は、ｅＣａｌｌのための呼の確立前に又は呼の確立後に登録を行うことができる。端末１１０は、ｅＣａｌｌの開始時又はｅＣａｌｌ中に所在位置の更新を行うことができる。端末１１０は、（例えば、選択されたＰＳＡＰからの）折り返し呼（ｃａｌｌｂａｃｋ）がサポートされている場合は所在位置の更新を行うことができ及びその他の場合は所在位置の更新をスキップすることができる。
【００４３】
端末１１０は、ｅＣａｌｌのためにＰＳＡＰと通信することができる。ｅＣａｌｌは、いずれかの時点において解除することができる。一設計においては、端末１１０は、制限された時間の間ＭＭ手順及びＣＭ手順をサポートし続けることができる。これは、必要な場合において、ＰＳＡＰからの折り返し呼をサポートするために及び端末１１０が追跡呼を素早く行うのを可能にするために望ましいことがある。（ＨＬＲ１４０において格納することができる）端末１１０に関するサービス加入契約が着呼を禁止しない場合は、ＰＳＡＰは、制限された時間の間端末１１０に折り返し呼を行うことができる。制限された時間の終了時において、端末１１０は、サービングネットワークによって要求された場合にＩＭＳＩの切り離しを行うことができる。サービングネットワークは、ｅＣａｌｌの終了後に予め決められた時間が経過後に端末１１０の登録を取り消すことも可能である。登録取り消しは、端末１１０とシグナリングを交換する必要なしに自動的に行うことができる。
【００４４】
図８及び９に示されるように、電源が投入されている間に所在位置の更新を行うことを端末１１０に回避させ及びｅＣａｌｌが開始されたときのみに所在位置の更新を行わせることによってシグナリングオーバーヘッドを実質的に低減させることができる。
【００４５】
例えば図９に示されるように、ｅＣａｌｌのための呼の確立前に所在位置の更新を行うのが望ましいことがある。所在位置の更新は、端末１１０の認証及び端末１１０のための加入情報をホームネットワーク１０４内のＨＬＲ１４０から訪問先ネットワーク１０２内のＶＬＲ１３０にダウンロードするのを可能にすることができる。加入情報は、端末１１０のためのＭＳＩＳＤＮを含むことができる。ＭＳＣ１３０は、ＭＳＩＳＤＮを有する認証されたｅＣａｌｌをＰＳＡＰ１６０に転送することができる。ＰＳＡＰ１６０は、必要な場合は、端末１１０への折り返し呼のためにＭＳＩＳＤＮを用いることができる。
【００４６】
一設計においては、ｅＣａｌｌのための所在位置の更新は、ｅＣａｌｌのための呼のセットアップを迅速化するために通常の所在位置の更新よりも高い優先度を与えることができる。端末１１０は、ｅＣａｌｌのためのＣＭ要求によってトリガーされたときに所在位置更新要求メモリを送信することができる。所在位置更新要求メッセージは、保留中の呼を示すか又はその保留中の呼を訪問先ネットワーク１０２（例えば、ＭＳＣ／ＶＬＲ１３０）に知らせること及び訪問先ネットワーク１０２が所在位置の更新の優先順位を設定することを可能にするための緊急呼を示すことができる。一設計においては、所在位置更新要求メッセージは、保留中のｅＣａｌｌ又は緊急呼を示すために“１”に設定しその他の場合は“０”に設定することができる指定されたビットを有する所在位置更新タイプＩＥを含むことができる。訪問先ネットワーク１０２は、所在位置更新要求メッセージにおいて保留中のｅＣａｌｌ又は緊急呼が示されている場合に処理の優先順位を設定することができる。
【００４７】
端末１１０は、例えば図９に示されるように、ｅＣａｌｌを確立する前に所在位置の更新を行っていないことがあり及びＭＭ接続を有さないことがある。ｅＣａｌｌに関する呼のセットアップの遅れは、幾つかの方法で減少させることができる。一設計においては、サービス加入のためのＩＭＳＩはＶＬＲ１３０にとって知らないことがあるため、端末１１０は、ＩＭＥＩによって識別することができる。このため、折り返し呼の識別を有さない（例えば、ＭＳＩＳＤＮを有さない）非認証のｅＣａｌｌをＰＳＡＰ１６０に引き渡すことができる。この設計は、認証されないｅＣａｌｌをサポートする諸国及びネットワークにおいて用いることができる。他の設計においては、端末１１０は、ｅＣａｌｌのためのＣＭサービス要求メッセージを送信することができ及び自己のＩＭＳＩによって自己を識別することができる。これは、訪問先ネットワーク１０２におけるＭＳＣ／ＶＬＲ１３０がホームネットワーク１０４におけるＨＬＲ／ＡＣ１４０に認証情報を要求するのを可能にすることができる。ＭＳＣ／ＶＬＲ１３０は、端末１１０を認証して認証されたｅＣａｌｌをＰＳＡＰ１６０に引き渡すことができる。さらに他の設計においては、端末１１０は、ＳＩＭ／ＵＳＩＭを含むことができ、認証することができ、及びＭＳＩＳＤＮを所有することができる。ＭＳＩＳＤＮは、識別及び折り返し呼を目的としてＰＳＡＰに転送することができる。
【００４８】
図１０は、ｅＣａｌｌ専用端末、例えば端末１１０、のための移動性管理（ＭＭ）のための状態図１０００の設計を示す。説明を単純化するために、移動性管理のために利用可能なすべての状態及びサブ状態（ｓｕｂｓｔａｔｅ）が図１０に示されているわけではない。
【００４９】
端末１１０は、電源が投入された時点で、ＭＭ  ＩＤＬＥ（アイドル）状態のｅＣａｌｌ  ＩＮＡＣＴＩＶＥ（非アクティブ）サブ状態において動作することができる。ｅＣａｌｌ  ＩＮＡＣＴＩＶＥサブ状態は、ホームネットワークオペレータが、ｅＣａｌｌのための、例えば、所在位置の更新、認証、ＰＳＡＰにとっての端末識別、及び可能な場合におけるＳＰＡＰからの折り返し呼の能力のための、通常のサポートを要求するｅＣａｌｌ専用端末に対して適用可能である。端末１１０は、ｅＣａｌｌ又は指定された呼が存在しない場合に移動性管理及び接続管理のためのシグナリングを送信することを回避するためにｅＣａｌｌ  ＩＮＡＣＴＩＶＥサブ状態に入ることができる。指定された呼は、試験及び端末再構成サービスのためにホームネットワークオペレータによって指定された非緊急ＭＳＩＳＤＮに対する呼を含むことができる。例えば、指定された呼は、カスタマサービスと関連づけられたホームネットワークオペレータによって割り当てられた特定の番号を対象にするのを可能にすることができ及び端末が正確に動作中であることを検証するために端末の再構成（例えば、ｅＣａｌｌ専用端末をｅＣａｌｌに加えて通常のサービスを受信可能な端末に転換する）を要求するために用いることができる。
【００５０】
ｅＣａｌｌ  ＩＮＡＣＴＩＶＥサブ状態においては、端末１１０は、登録、所在位置の更新、及びＩＭＳＩ切り離し（ｄｅｔａｃｈｍｅｎｔ）を行うことを回避することができ及びページング要求に応答するのを同じ回避することもできる。端末１１０は、ｅＣａｌｌ及び指定された呼を除き、ＭＭ接続に関する端末１１０内のＣＭエンティティからの要求を拒否することもできる。端末１１０は、ｅＣａｌｌ  ＩＮＡＣＴＩＶＥサブ状態の間に無線ネットワークを定期的に探すことができる。ｅＣａｌｌ  ＩＮＡＣＴＩＶＥサブ状態にある間には端末１１０はｅＣａｌｌ及び指定された呼のみを利用可能であることができる。
【００５１】
ｅＣａｌｌ  ＩＮＡＣＴＩＶＥサブ状態においては、有効な加入者有情報を端末１１０のために利用可能であり、更新状態を“ディスエーブルド”（ＤＩＳＡＢＬＥＤ）（又はＵ４）にすることができ及び端末１１０のために通常のサービスを提供することができるセルを選択することができる。ディスエーブルドな更新状態は、所在位置の更新が不能であること及びＳＩＭ／ＵＳＩＭが有効なＬＡＩ（所在位置エリア識別）、ＴＭＳＩ（一時的移動体加入者識別番号）、ＧＳＭ暗号化キー、ＵＭＴＳ完全性キー、ＵＭＴＳ暗号化キー、又は暗号化キーシーケンス番号のいずれも含まないことを意味することができる。これらのフィールドはすべて、適合性の理由でｅＣａｌｌ ＩＮＡＣＴＩＶＥサブ状態に移行した時点で“削除された”値に設定することができる。その他の値の存在は、端末１１０では誤りとみなされない。ＳＩＭ／ＵＳＩＭに格納された“所在位置更新状態”を“更新されず”に設定することができる。
【００５２】
端末１１０は、ｅＣａｌｌ ＩＮＡＣＴＩＶＥサブ状態にある間に、可能性のあるサービングネットワークにおける可能性のあるサービングセル（ｓｅｒｖｉｎｇ  ｃｅｌｌ）を認識した状態であることができるが、ネットワークとのＭＭシグナリングを開始することができず及びページング要求を無視することができる。端末１１０は、後述される条件のうちの１つにおいてｅＣａｌｌ  ＩＮＡＣＴＩＶＥサブ状態から出ることができる。
【００５３】
・ＳＩＭ／ＵＳＩＭが取り外された（ｒｅｍｏｖｅｄ）場合は、端末１１０は、ＮＯ  ＩＭＳＩ（ＩＭＳＩなし）サブ状態になることができる。
【００５４】
・カバレッジが失われた場合は、端末１１０は、ＰＬＭＮ  ＳＥＡＲＣＨ（ＰＬＭＮ探索）サブ状態になることができる。
【００５５】
・端末がユーザによって停止された（例えば、電源が切られた）場合は、端末１１０は、ＭＭ  ＩＤＬＥ（アイドル）状態から出てＮＵＬＬ（ヌル）状態になることができる。
【００５６】
・ｅＣａｌｌのためのＣＭ要求が存在する場合は、端末１１０は、サービングネットワークによって要求された場合はＩＭＳＩ添付手順を試みることができるか又は通常の所在位置の更新を試みることができる。これが完了した時点で、端末１１０は、ｅＣａｌｌを確立するためのその他のＭＭ手順及びＣＭ手順を実行することができる。
【００５７】
・（例えば、試験又は端末再構成のための）指定された呼のためのＣＭ要求が存在する場合は、端末１１０は、サービングネットワークによって要求された場合はＩＭＳＩ添付手順を試みることができ、その他の場合は通常の所在位置の更新を試みることができる。これが完了した時点で、端末１１０は、指定された呼を確立するためのその他のＭＭ手順及びＣＭ手順を実行することができる。
【００５８】
端末１１０は、ｅＣａｌｌ又は指定された呼が開始されたときにＭＭ  ＩＤＬＥ状態から出ることができる。端末１１０は、呼を確立するために及び呼中に通信するために通常のＭＭ手順及びＣＭ手順をサポートすることができる。
【００５９】
端末１１０は、ｅＣａｌｌ又は指定された呼が解除されたときにＭＭ  ＩＤＬＥ状態のＮＯＲＭＡＬ（通常）サブ状態に移行することができる。一設計においては、端末１１０は、ＮＯＲＭＡＬサブ状態中に制限された時間の間ＭＭ手順及びＣＭ手順のサポートを続けることができる。この制限された時間は、ホームネットワークオペレータによって（例えば、固定された値又は設定可能な値に）設定することができ及びＳＩＭ／ＵＳＩＭに格納することができる。端末１１０は、この制限された時間を追跡するために、ｅＣａｌｌ又は指定された呼が解除された後にタイマＴｘｘｘｘ又はＴｙｙｙｙを維持することができる。一設計においては、タイマＴｘｘｘｘは、ｅＣａｌｌの解除のために用いることができ、タイマＴｙｙｙｙは、指定された呼の解除のために用いることができる。端末１１０のためのサービス加入契約が着呼を禁止しない場合は、ＰＳＡＰは、制限された時間中に端末１１０に折り返し呼を行うことができる。制限された時間の終了時に、端末１１０は、サービングネットワークによって要求された場合はＩＭＳＩの切り離しを行うことができ及びｅＣａｌｌ  ＩＮＡＣＴＩＶＥサブ状態に再度入ることができる。
【００６０】
端末１１０は、ＭＭ  ＩＤＬＥ状態内のＮＯ  ＩＭＳＩ、ＮＯ   ＣＥＬＬ    ＡＶＡＩＬＡＢＬＥ（利用可能なセルなし）（図１０に示されていない）及びＰＬＭＮ  ＳＥＡＲＣＨの各サブ状態を除くいずれかのサブ状態において、タイマＴｘｘｘｘ又はタイマＴｙｙｙｙが時間切れになったとき又は既に時間切れになっていることが判明したときにｅＣａｌｌ非アクティブ化手順を実行することができる。端末１１０は、その他のアクティブなタイマを停止することができ及びサービングネットワークによって要求された場合及び更新状態が“更新済み” （ＵＰＤＡＴＥＤ）（又はＵ１）である場合はＩＭＳＩ切り離し手順を実行することができる。これで、端末１１０は、ＭＭ  ＩＤＬＥ状態におけるｅＣａｌｌ  ＩＮＡＣＴＩＶＥサブ状態になることができる。表１は、一設計によるタイマＴｘｘｘｘ及びＴｙｙｙｙの詳細を示す。
【表１】
2011521505.tif 000003
【００６１】
ｅＣａｌｌ  ＩＮＡＣＴＩＶＥサブ状態から出るすべての場合において、ＰＬＭＮ  ＳＥＡＲＣＨサブ状態又はＮＵＬＬサブ状態になるためである場合を除き、タイマＴｘｘｘｘ及びＴｙｙｙｙは、両方とも、いずれのタイマも時間切れになっているとみなされないようにし及び端末が次にＭＭ  ＩＤＬＥ状態になるときにいずれかを再始動させることができるようにするためにリセットすることができる。
【００６２】
端末１１０は、例えば、停止された（電源が切断された）場合、ＳＩＭ／ＵＳＩＭが取り外された場合、又は端末１１０がユーザによって手動で再起動された場合に、ｅＣａｌｌ  ＩＮＡＣＴＩＶＥサブ状態から出ることができる。手動による再起動は、任意選択の能力であることができ及び端末１１０上における特殊なメニュー機能、ボタン、又はスイッチを用いて動作させることができる。
【００６３】
図１０に示されない一設計において、端末１１０は、電源が投入されるか又は手動によって再起動されたときにＮＯＲＭＡＬサブ状態になることができ及び固定された継続時間又は設定可能な継続時間であることができる予め決められた時間の間ＮＯＲＭＡＬサブ状態で動作することができる。一設計においては、端末１１０は、予め決められた時間内においてＩＭＳＩ添付、所在位置の更新、及びおそらくその他のＭＭ手順及びＣＭ手順（例えば、ページング要求への応答）を実行することができる。この予め決められた時間中に、ホームネットワーク１０４は、端末１１０におけるＳＩＭ／ＵＳＩＭを再構成して通常の加入サービスを加えること及びｅＣａｌｌ専用状態を取り除くことができる。ＨＬＲ１４０は、端末１１０のためのその他のサービスを禁止することも可能であるが、ＰＳＡＰ折り返し呼をサポートするために着呼を許容することができる。端末１１０は、先行するｅＣａｌｌが存在していた場合を除き、予め決められた時間中に着呼を抑止することができる。
【００６４】
端末１１０は、ｅＣａｌｌ専用端末であることができるが、ネットワークオペレータによって提供されたその他のサービスのための加入契約を有することができる。端末１１０は、加入したサービスにアクセスできるようにｅＣａｌｌ中に又はｅＣａｌｌ後に再構成することができる。これは次のようにして達成することができる。端末１１０は、例えば端末１１０上のメニュー機能又は特別なボタンを介して、ユーザのための通常サービス呼び出しオプションをサポートすることができる。これが呼び出されるときには、端末１１０は、所在位置の更新を行うことができる。ホームネットワーク１０４におけるＨＬＲ１４０は、端末１１０からの所在位置更新を受諾することができ及び訪問先ネットワーク１０２におけるＶＬＲ１３０に対して最小限の加入情報を提供することができる。ＨＬＲ１４０は、例えばＳＭＳを介して、端末１１０におけるＳＩＭ／ＵＳＩＭを再構成することも可能である。ユーザが加入したサービスを有する場合は、端末１１０は、ユーザが加入したサービス、例えば、発呼又はＳＭＳ、を呼び出すのを可能にすることができる。ユーザが加入したサービスを有さない場合は、所在位置の更新は生じることができるが、端末１１０は、ユーザがサービスを呼び出すのを許容することができず、又は訪問先ネットワーク１１２は、ユーザによって呼び出されたサービスを許容することができない。端末１１０は、（ｉ）ｅＣａｌｌ呼び出し後の特定の継続時間（例えば、１０乃至６０分）内及び（ｉｉ）通常のサービスの呼び出し後のその他の何らかの特定の継続時間（例えば、１５分）内を除くその他の時間に所在位置の更新を行うことを回避することができる。  
端末１１０のユーザは、例えば、異なるＳＩＭ／ＵＳＩＭを用いるために、ネットワークオペレータ／サービスプロバイダを変更することもできる。ユーザは、端末１１０とともに用いられる既存の加入契約を変更することもできる。
【００６５】
端末１１０は、通常の加入契約を有することができ、ホームネットワークオペレータは、ｅＣａｌｌ専用状態に合わせてＳＩＭ／ＵＳＩＭを再構成することができる。これで、端末１１０は、予め決められた時間後にｅＣａｌｌ  ＩＮＡＣＴＩＶＥサブ状態になることができる。
【００６６】
図１１は、端末によって実行されるプロセス１００の設計を示す。端末は、ｅＣａｌｌ及び指定された呼を除き、移動性管理（ＭＭ）及び接続管理（ＣＭ）のためのシグナリングを無線ネットワークに送信することを回避することができる（ブロック１１１２）。端末は、検出されたネットワークにシグナリングを送信することなしに、電源投入後に無線ネットワークを定期的に探すことができる。端末は、所在位置の更新を行うこと、登録を行うこと、及びページング要求に応答することを回避することができる。
【００６７】
端末は、端末によって開始された、例えば端末によって自動的に開始されるか又はユーザによって手動で開始された、ｅＣａｌｌ又は指定された呼のために無線ネットワークとシグナリングを交換することができる（ブロック１１１４）。一設計においては、端末は、ｅＣａｌｌ又は指定された呼が開始された後は無線ネットワークとの所在位置の更新を行うことができる。端末は、保留中のｅＣａｌｌ又は所在位置の更新のための緊急呼の指示を備えるメッセージを送信することができ、これは所在位置の更新を迅速化することができる。端末は、例えば図２に示されるように、ｅＣａｌｌ又は指定された呼のための呼の確立を行うこともできる。端末は、呼の確立のためのｅＣａｌｌインジケータを備えるメッセージを送信することができる。ｅＣａｌｌインジケータは、上述される情報要素、ビット、値、等のうちのいずれかを備えることができる。
【００６８】
一設計においては、端末は、ｅＣａｌｌ又は指定された呼の終了後の予め決められた時間、例えばｅＣａｌｌの終了後のＴｘｘｘｘ秒間又は指定された呼の終了後のＴｙｙｙｙ秒間、移動性管理及び接続管理のためのシグナリングを交換することができる。端末は、予め決められた時間以降は移動性管理及び接続管理のためのシグナリングを送信することを回避することができる。一設計においては、端末は、電源が投入された時点又は手動による端末の再起動の時点において制限された時間の間（例えば、ネットワーク接続、所在位置の更新、ページング要求への応答、許容されたサービスの再構成、等のための）移動性管理及び接続管理のためのシグナリングを交換することができる。端末は、この制限された時間以降は移動性及び接続管理のためのシグナリングを送信することを回避することができる。
【００６９】
図１２は、ｅＣａｌｌの確立をサポートするために無線ネットワークによって実行されるプロセス１２００の設計を示す。ネットワークは、ｅＣａｌｌ及び指定された呼を除き、端末から移動性管理及び接続管理のためのシグナリングを受信することができない（ブロック１２１２）。ネットワークは、端末によって開始されたｅＣａｌｌ又は指定された呼のために端末とシグナリングを交換することができる（ブロック１２１４）。一設計においては、ネットワークは、ｅＣａｌｌ又は指定された呼が開始されたときに端末との所在位置の更新を行うことができ及びｅＣａｌｌ又は指定された呼のために端末との呼の確立を行うこともできる。
【００７０】
図１３は、図１における端末１１０、基地局／ＲＡＮ１２０、及びＭＳＣ／ＶＬＲ１３０の設計のブロック図を示す。端末１１０において、符号器１３１２は、端末１１０によって送信されるデータ及びメッセージを受信することができる。メッセージは、登録、所在位置の更新、呼の確立、等に関するメッセージであることができる。符号器１３１２は、データ及びメッセージを処理（例えば、符号化及びインターリービング）し、符号化されたデータ及び符号化されたシグナリングを提供することができる。変調器（Ｍｏｄ）１３１４は、符号化されたデータ及びシグナリングをさらに処理（例えば、変調、チャネル化、及びスクランブリング）して出力サンプルを提供することができる。送信機（ＴＭＴＲ）１３２２は、出力サンプルをコンディショニング（例えば、アナログへの変換、フィルタリング、増幅、及び周波数アップコンバージョン）してアップリンク信号を生成することができ、アップリンク信号は、ＲＡＮ１２０における１つ以上の基地局に送信することができる。端末１１０は、１つ以上の基地局によって送信されたダウンリンク信号を受信することもできる。受信機（ＲＣＶＲ）１３２６は、受信された信号をコンディショニング（例えば、フィルタリング、増幅、周波数ダウンコンバージョン、及びデジタル化）して入力サンプルを提供することができる。復調器（Ｄｅｍｏｄ）１３１６は、入力サンプルを処理（例えば、デスクランブリング、チャネル化、及び復調）してシンボル推定を提供することができる。復号器１３１８は、シンボル推定を処理（例えば、デインターリービング及び復号）して送信された復号されたデータ及びメッセージを端末１１０に提供することができる。符号器１３１２、変調器１３１４、復調器１３１６、及び復号器１３１８は、モデムプロセッサ１３１０によって実装することができる。これらのユニットは、端末１１０が通信状態にある無線ネットワークによって用いられる無線技術（例えば、ＧＳＭ、ＷＣＤＭＡ、ＬＴＥ、等）に従って処理を行うことができる。コントローラ／プロセッサ１３３０は、端末１１０における様々なユニットの動作を指示することができる。端末１１０におけるプロセッサ１３３０及び／又はその他のモジュールは、図６におけるプロセス６００、図１１におけるプロセス１１００、及び／又はここにおいて説明される技術に関するその他のプロセスを実行又は指示することができる。メモリ１３３２は、端末１１０のためにプログラム符号及びデータを格納することができる。ＳＩＭ／ＵＳＩＭ１３３４は、端末１１０のために用いられるサービス加入契約のための加入情報を格納することができる。
【００７１】
基地局／ＲＡＮ１２０において、送信機／受信機１３３８は、端末１００及びその他の端末との無線通信をサポートすることができる。コントローラ／プロセッサ１３４０は、端末との通信のための様々な機能を実行することができる。アップリンクに関しては、端末１１０からのアップリンク信号は、受信機１３３８によって受信及びコンディショニングし、コントローラ／プロセッサ１３４０によってさらに処理して端末１１０によって送信されたデータ及びメッセージを復元することができる。ダウンリンクに関しては、データ及びメッセージは、コントローラ／プロセッサ１３４０によって処理し及び送信機１３３８によってコンディショニングしてダウンリンク信号を生成することができ、ダウンリンク信号は、端末１１０及びその他の端末に送信することができる。メモリ１３４２は、基地局／ＲＡＮ１２０のためのプログラム符号及びデータを格納することができる。通信（Ｃｏｍｍ）ユニット１３４４は、ＭＳＣ／ＶＬＲ１３０及びその他のネットワークエンティティとの通信をサポートすることができる。
【００７２】
ＭＳＣ／ＶＬＲ１３０において、コントローラ／プロセッサ１３５０は、端末のための通信サービスをサポートするための様々な機能を実行することができる。メモリ１３５２は、ＭＳＣ／ＶＬＲ１３０のためのプログラム符号及びデータを格納することができる。通信ユニット１３５４は、基地局／ＲＡＮ１２０及びその他のネットワークエンティティとの通信をサポートすることができる。ＭＳＣ／ＶＬＲ１３０におけるコントローラ／プロセッサ１３５０及び／又はその他のモジュールは、図７におけるプロセス７００、図１２におけるプロセス１２００、及び／又はここにおいて説明される技法に関するその他のプロセスの全体又は一部を実行又は指示することができる。
【００７３】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそのあらゆる組合せによって表すことができる。
【００７４】
ここにおける開示と関係させて説明される様々な例示的論理ブロック、モジュール、回路、及びアルゴリズム上のステップは、電子ハードウェア、コンピュータソフトウェア、又は両方の組み合わせとして実装可能であることを当業者はさらに理解するであろう。ハードウェアとソフトウェアのこの互換性を明確に例示するため、上記においては、様々な例示的コンポーネント、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲からの逸脱を生じさせるものであるとは解釈すべきではない。  
ここにおいて説明される方法は、用途に依存して様々な手段によって実装することができる。例えば、これらの方法は、ハードウェア、ファームウェア、ソフトウェア、又はそのいずれかの組み合わせにおいて実装することができる。ハードウェアにおいて実装する場合は、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、又はその他の電子ユニット、又はその組み合わせ内に実装することができる。
【００７５】
ファームウェア及び／又はソフトウェアにおいて実装する場合は、方法は、ここにおいて説明される機能を実行するモジュール（例えば、手順、関数、等）とともに実装することができる。ここにおいて説明される方法を実装する際には命令を有形に具現化する機械によって読み取り可能な媒体を用いることができる。例えば、ソフトウェアコードは、メモリに格納して処理ユニットによって実行することができる。メモリは、処理ユニット内又は処理ユニットの外部に実装することができる。ここにおいて用いられる用語“メモリ”は、あらゆるタイプの長期、短期、揮発性、非揮発性、又はその他のメモリを意味し、いずれかの特定のタイプのメモリ又はメモリの数、又はメモリが格納される媒体のタイプに限定されるべきでない。
【００７６】
ファームウェア及び／又はソフトウェアにおいて実装する場合は、機能は、コンピュータによって読み取り可能な媒体において１つ以上の命令又は符号として格納することができる。諸例は、データ構造を有する符号化されたコンピュータによって読み取り可能な媒体と、コンピュータプログラムを有する符号化されたコンピュータによって読み取り可能な媒体とを含むことができる。コンピュータによって読み取り可能な媒体は、物理的なコンピュータ記憶媒体を含む。記憶媒体は、コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶デバイス、磁気ディスク記憶デバイス又はその他の磁気記憶デバイス、又は、希望されるプログラム符号を命令又はデータ構造の形態で格納するために用いることができ及びコンピュータによってアクセス可能なその他の媒体、を備えることができる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【００７７】
コンピュータによって読み取り可能な媒体における格納に加えて、命令及び／又はデータは、通信装置に含まれる送信媒体において信号として提供することができる。例えば、通信装置は、命令及びデータを示す信号を有するトランシーバを含むことができる。命令及びデータは、請求項において概説される機能を１つ以上のプロセッサに実装させるように構成される。すなわち、通信装置は、開示される機能を実行するための情報を示す信号を有する送信媒体を含む。第一に、通信装置に含まれる送信媒体は、開示される機能を実行するための情報の第１の部分を含むことができ、次に、通信装置に含まれる送信媒体は、開示される機能を実行するための情報の第２の部分を含むことができる。
【００７８】
位置／所在位置決定技法は、様々な無線通信ネットワーク、例えば、無線ワイドエリアネットワーク（ＷＷＡＮ）、無線ローカルエリアネットワーク（ＷＬＡＮ）、無線パーソナルエリアネットワーク（ＷＰＡＮ）、等、と関係させて実装することができる。用語“ネットワーク”及び“システム”は、互換可能な形でしばしば用いられる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一周波数分割多元接続（ＳＣ−ＦＤＭＡ）ネットワーク、ロング・ターム・エボリューション（ＬＴＥ）、等であることができる。ＣＤＭＡネットワークは、１つ以上の無線アクセス技術（ＲＡＴ）、例えば、ｃｄｍａ２０００、ワイドバンド−ＣＤＭＡ（Ｗ−ＣＤＭＡ）、等を実装することができる。ｃｄｍａ２０００は、ＩＳ−９５規格と、ＩＳ−２０００規格と、ＩＳ−８５６規格と、を含む。ＴＤＭＡネットワークは、グローバル移動通信システム（ＧＳＭ）、デジタルアドバンスト携帯電話システム（Ｄ−ＡＭＰＳ）、又はその他のＲＡＴを実装することができる。ＧＳＭ及びＷ−ＣＤＭＡは、“第３世代パートナーシッププロジェクト”（３ＧＰＰ）という名称のコンソーシアムから発行された文書において説明されている。ｃｄｍａ２０００は、第３世代パートナーシッププロジェクト２”（３ＧＰＰ２）という名称のコンソーシアムから発行された文書において説明されている。３ＧＰＰ文書及び３ＧＰＰ２文書は、公に入手可能である。ＷＬＡＮは、ＩＥＥＥ８０２．１１ｘネットワークであることができ、ＷＰＡＮは、Ｂｌｕｅｔｏｏｔｈ（登録商標）ネットワーク、ＩＥＥＥ８０２．１５ｘネットワーク、又はその他のタイプのネットワークであることができる。これらの技法は、ＷＷＡＮ、ＷＬＡＮ及び／又はＷＰＡＮのあらゆる組み合わせと関係させて実装することができる。
【００７９】
本開示に関する上記の説明は、当業者が本開示を製造又は使用できるようにすることを目的とする。本開示に対する様々な修正は、当業者にとって容易に明確になるであろう。ここにおいて定められる一般原理は、本開示の精神又は適用範囲を逸脱せずにその他の変形形態に対しても適用することができる。以上のように、本開示は、ここにおいて説明される例及び設計に限定されることが意図されるものではなく、ここにおいて開示される原理及び斬新な特徴に一致する限りにおいて最も広範な適用範囲が認められるべきである。
【図１】
2011521505.tif 000004
【図２】
2011521505.tif 000005
【図３】
2011521505.tif 000006
【図４】
2011521505.tif 000007
【図５】
2011521505.tif 000008
【図６】
2011521505.tif 000009
【図７】
2011521505.tif 000010
【図８】
2011521505.tif 000011
【図９】
2011521505.tif 000012
【図１０】
2011521505.tif 000013
【図１１】
2011521505.tif 000014
【図１２】
2011521505.tif 000015
【図１３】
2011521505.tif 000016
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
緊急呼（ｅＣａｌｌ）の確立を行う方法であって、
メッセージを生成するとともにｅＣａｌｌインジケータを提供することであって、前記ｅＣａｌｌインジケータは、前記ｅＣａｌｌが前記端末によって自動的に開始されたか又はユーザによって手動で開始されたかを示し、前記メッセージは、接続管理（ＣＭ）サービス要求メッセージ、緊急ＳＥＴＵＰメッセージ、またはＳＥＴＵＰメッセージのうちのいずれか１つを備え、前記接続管理（ＣＭ）サービス要求メッセージは、前記ｅＣａｌｌインジケータのために用いられる少なくとも１つの値をもつ接続管理（ＣＭ）サービスタイプ情報要素または、前記ｅＣａｌｌインジケータのために用いられる少なくとも１つのビットをもつ移動局（ＭＳ）クラスマーク２情報要素のいずれか１つを具備し、前記緊急ＳＥＴＵＰメッセージは、サービスカテゴリパラメータではないパラメータであって、前記ｅＣａｌｌインジケータを含むパラメータを具備し、前記ＳＥＴＵＰメッセージは、前記ｅＣａｌｌインジケータのために予約された少なくとも１つの被呼者番号を有する被呼者ＢＣＤ番号情報要素を備えることと、
ｅＣａｌｌを発生させるために前記メッセージを端末に送信することと、を備える、方法。
【請求項２】
緊急呼（ｅＣａｌｌ）の確立を行う装置であって、
メッセージを生成するとともにｅＣａｌｌインジケータを提供するための手段であって、前記ｅＣａｌｌインジケータは、前記ｅＣａｌｌが前記端末によって自動的に開始されたか又はユーザによって手動で開始されたかを示し、前記メッセージは、接続管理（ＣＭ）サービス要求メッセージ、緊急ＳＥＴＵＰメッセージ、またはＳＥＴＵＰメッセージのうちのいずれか１つを備え、前記接続管理（ＣＭ）サービス要求メッセージは、前記ｅＣａｌｌインジケータのために用いられる少なくとも１つの値をもつ接続管理（ＣＭ）サービスタイプ情報要素または、前記ｅＣａｌｌインジケータのために用いられる少なくとも１つのビットをもつ移動局（ＭＳ）クラスマーク２情報要素のいずれか１つを具備し、前記緊急ＳＥＴＵＰメッセージは、サービスカテゴリパラメータではないパラメータであって、前記ｅＣａｌｌインジケータを含むパラメータを具備し、前記ＳＥＴＵＰメッセージは、前記ｅＣａｌｌインジケータのために予約された少なくとも１つの被呼者番号を有する被呼者ＢＣＤ番号情報要素を備える手段と、
ｅＣａｌｌを発生させるために前記メッセージを端末に送信するための手段と、を備える、装置。
【請求項３】
緊急呼（ｅＣａｌｌ）の確立を行う装置であって、
メッセージを生成するとともにｅＣａｌｌインジケータを提供し、ｅＣａｌｌを発生させるために前記メッセージを端末に送信するように構成された少なくとも１つのプロセッサであって、前記少なくとも１つのプロセッサは、前記ｅＣａｌｌが前記端末によって自動的に開始されたか又はユーザによって手動で開始されたかを示すために前記ｅＣａｌｌインジケータを設定するように構成され、前記メッセージは、接続管理（ＣＭ）サービス要求メッセージ、緊急ＳＥＴＵＰメッセージ、またはＳＥＴＵＰメッセージのうちのいずれか１つを備え、前記接続管理（ＣＭ）サービス要求メッセージは、前記ｅＣａｌｌインジケータのために用いられる少なくとも１つの値をもつ接続管理（ＣＭ）サービスタイプ情報要素または、前記ｅＣａｌｌインジケータのために用いられる少なくとも１つのビットをもつ移動局（ＭＳ）クラスマーク２情報要素のいずれか１つを具備し、前記緊急ＳＥＴＵＰメッセージは、サービスカテゴリパラメータではないパラメータであって、前記ｅＣａｌｌインジケータを含むパラメータを具備し、前記ＳＥＴＵＰメッセージは、前記ｅＣａｌｌインジケータのために予約された少なくとも１つの被呼者番号を有する被呼者ＢＣＤ番号情報要素を備える、装置。
【請求項４】
少なくとも１つの処理ユニットによって実行されたときに緊急呼（ｅＣａｌｌ）の確立を行う命令が格納されたコンピュータ読み取り可能な媒体であって、前記命令は、
前記少なくとも１つの処理ユニットに、メッセージを生成するとともにｅＣａｌｌインジケータを提供させるコードであって、前記コードは、前記少なくとも１つの処理ユニットに、前記ｅＣａｌｌが前記端末によって自動的に開始されたか又はユーザによって手動で開始されたかを示すために前記ｅＣａｌｌインジケータを設定させ、
前記メッセージは、接続管理（ＣＭ）サービス要求メッセージ、緊急ＳＥＴＵＰメッセージ、またはＳＥＴＵＰメッセージのうちのいずれか１つを備え、前記接続管理（ＣＭ）サービス要求メッセージは、前記ｅＣａｌｌインジケータのために用いられる少なくとも１つの値をもつ接続管理（ＣＭ）サービスタイプ情報要素または、前記ｅＣａｌｌインジケータのために用いられる少なくとも１つのビットをもつ移動局（ＭＳ）クラスマーク２情報要素のいずれか１つを具備し、前記緊急ＳＥＴＵＰメッセージは、サービスカテゴリパラメータではないパラメータであって、前記ｅＣａｌｌインジケータを含むパラメータを具備し、前記ＳＥＴＵＰメッセージは、前記ｅＣａｌｌインジケータのために予約された少なくとも１つの被呼者番号を有する被呼者ＢＣＤ番号情報要素を備える、コードと、
前記少なくとも１つの処理ユニットに、ｅＣａｌｌを発生させるために前記メッセージを端末に送信させるコードと、を備える、コンピュータ読み取り可能な媒体。
【請求項５】
緊急呼（ｅＣａｌｌ）の確立を行う方法であって、
ｅＣａｌｌを発生するためにメッセージを端末から受信することと、
前記メッセージからｅＣａｌｌインジケータを取得することと、を具備し、
前記ｅＣａｌｌインジケータは、前記ｅＣａｌｌが前記端末によって自動的に開始されたか又はユーザによって手動で開始されたかを示し、前記メッセージは、接続管理（ＣＭ）サービス要求メッセージ、緊急ＳＥＴＵＰメッセージ、またはＳＥＴＵＰメッセージのうちのいずれか１つを備え、前記接続管理（ＣＭ）サービス要求メッセージは、前記ｅＣａｌｌインジケータのために用いられる少なくとも１つの値をもつ接続管理（ＣＭ）サービスタイプ情報要素または、前記ｅＣａｌｌインジケータのために用いられる少なくとも１つのビットをもつ移動局（ＭＳ）クラスマーク２情報要素のいずれか１つを具備し、前記緊急ＳＥＴＵＰメッセージは、サービスカテゴリパラメータではないパラメータであって、前記ｅＣａｌｌインジケータを含むパラメータを具備し、前記ＳＥＴＵＰメッセージは、前記ｅＣａｌｌインジケータのために予約された少なくとも１つの被呼者番号を有する被呼者ＢＣＤ番号情報要素を備える、方法。
【請求項６】
緊急呼（ｅＣａｌｌ）の確立をサポートする装置であって、
ｅＣａｌｌを発生するためにメッセージを端末から受信するための手段と、
前記メッセージからｅＣａｌｌインジケータを取得するための手段と、を具備し、
前記ｅＣａｌｌインジケータは、前記ｅＣａｌｌが前記端末によって自動的に開始されたか又はユーザによって手動で開始されたかを示し、前記メッセージは、接続管理（ＣＭ）サービス要求メッセージ、緊急ＳＥＴＵＰメッセージ、またはＳＥＴＵＰメッセージのうちのいずれか１つを備え、前記接続管理（ＣＭ）サービス要求メッセージは、前記ｅＣａｌｌインジケータのために用いられる少なくとも１つの値をもつ接続管理（ＣＭ）サービスタイプ情報要素または、前記ｅＣａｌｌインジケータのために用いられる少なくとも１つのビットをもつ移動局（ＭＳ）クラスマーク２情報要素のいずれか１つを具備し、前記緊急ＳＥＴＵＰメッセージは、サービスカテゴリパラメータではないパラメータであって、前記ｅＣａｌｌインジケータを含むパラメータを具備し、前記ＳＥＴＵＰメッセージは、前記ｅＣａｌｌインジケータのために予約された少なくとも１つの被呼者番号を有する被呼者ＢＣＤ番号情報要素を備える、装置。
【請求項７】
端末を動作させる方法であって、
緊急呼（ｅＣａｌｌ）及び指定された呼を除き移動性管理（ＭＭ）及び接続管理（ＣＭ）のためのシグナリングを前記端末によって無線ネットワークに送信することを回避することと、
前記端末によって開始されたｅＣａｌｌ又は指定された呼のために前記端末によってシグナリングを交換することと、を備える、端末を動作させる方法。
【請求項８】
検出されたネットワークにシグナリングを送信することなしに電源が投入された後に前記端末によって無線ネットワークを定期的に探すことをさらに備える請求項７に記載の方法。
【請求項９】
移動性管理及び接続管理のためのシグナリングを送信することを前記回避することは、前記ｅＣａｌｌ又は指定された呼の前に前記端末によって所在位置の更新を行うことを回避することを備える請求項７に記載の方法。
【請求項１０】
移動性管理及び接続管理のためのシグナリングを送信することを前記回避することは、前記ｅＣａｌｌ又は指定された呼の前に登録を行うこと及びページング要求に応答することを回避することを備える請求項７に記載の方法。
【請求項１１】
前記ｅＣａｌｌ又は指定された呼のために前記端末によってシグナリングを前記交換することは、
前記ｅＣａｌｌ又は指定された呼が開始された後に無線ネットワークとの所在位置の更新を行うことと、
前記ｅＣａｌｌ又は指定された呼のために前記無線ネットワークとの呼の確立を行うこと、とを備える請求項７に記載の方法。
【請求項１２】
所在位置の更新を前記行うことは、所在位置の更新のための保留中のｅＣａｌｌの指示を備えるメッセージを送信することを備える請求項１１に記載の方法。
【請求項１３】
呼の確立を前記行うことは、呼の確立のためのｅＣａｌｌインジケータを備えるメッセージを送信することを備える、請求項１１に記載の方法。
【請求項１４】
前記ｅＣａｌｌ又は指定された呼のために前記端末によってシグナリングを前記交換することは、前記ｅＣａｌｌ又は指定された呼のために無線ネットワークとの呼の確立を行うことを備え、前記所在位置の更新は、前記ｅＣａｌｌ又は指定された呼の開始前に前記無線ネットワークと前記端末よって行われる請求項７に記載の方法。
【請求項１５】
前記ｅＣａｌｌ又は指定された呼の終了後の予め決められた時間の間前記端末による移動性管理及び接続管理のためのシグナリングを可能にすることと、
前記予め決められた時間後に前記端末によって移動性管理及び接続管理のためのシグナリングを送信することを回避することと、をさらに備える請求項７に記載の方法。
【請求項１６】
前記予め決められた時間は、ｅＣａｌｌのための第１の時間又は指定された呼のための第２の時間を備える請求項１５に記載の方法。
【請求項１７】
前記端末の電源投入時点又は手動による再起動時点で前記予め決められた時間の間前記端末による移動性管理及び接続管理のためのシグナリングを可能にすることと、
前記予め決められた時間後に前記端末によって移動性管理及び接続管理のためのシグナリングを送信することを回避することと、をさらに備える請求項７に記載の方法。
【請求項１８】
前記予め決められた時間内における前記端末に関するネットワーク接続、所在位置の更新、ページング要求への応答、及び許容されたサービスの再構成のために前記無線ネットワークとシグナリングを交換することをさらに備える請求項１７に記載の方法。
【請求項１９】
装置であって、
緊急呼（ｅＣａｌｌ）及び指定された呼を除き移動性管理（ＭＭ）及び接続管理（ＣＭ）のためのシグナリングを端末によって無線ネットワークに送信することを回避するための手段と、
前記端末によって開始されたｅＣａｌｌ又は指定された呼のために前記端末によってシグナリングを交換するための手段と、を備える、装置。
【請求項２０】
移動性管理及び接続管理のためのシグナリングを送信することを回避するための前記手段は、前記ｅＣａｌｌ又は指定された呼の前に前記端末によって所在位置の更新を行うことを回避するための手段を備える請求項１９に記載の装置。
【請求項２１】
前記ｅＣａｌｌ又は指定された呼のために前記端末によってシグナリングを交換するための前記手段は、
前記ｅＣａｌｌ又は指定された呼が開始された後に無線ネットワークとの所在位置の更新を行うための手段と、
前記ｅＣａｌｌ又は指定された呼のために前記無線ネットワークとの呼の確立を行うための手段と、を備える請求項１９に記載の装置。
【請求項２２】
呼の確立を行うための前記手段は、呼の確立のためのｅＣａｌｌインジケータを備えるメッセージを送信するための手段を備える請求項２１に記載の装置。
【請求項２３】
前記ｅＣａｌｌ又は指定された呼の終了後の予め決められた時間の間前記端末による移動性管理及び接続管理のためのシグナリングを可能にするための手段と、
前記予め決められた時間後に前記端末によって移動性管理及び接続管理のためのシグナリングを送信することを回避するための手段と、をさらに備える請求項１９に記載の装置。  
【請求項２４】
前記端末の電源投入時点又は手動による再起動時点で前記予め決められた時間の間前記端末による移動性管理及び接続管理のためのシグナリングを可能にするための手段と、
前記予め決められた時間後に前記端末によって移動性管理及び接続管理のためのシグナリングを送信することを回避するための手段と、をさらに備える請求項１９に記載の装置。
【請求項２５】
緊急呼（ｅＣａｌｌ）の確立をサポートする方法であって、
ｅＣａｌｌ及び指定された呼を除き端末から移動性管理（ＭＭ）及び接続管理（ＣＭ）のためのシグナリングを受信しないことと、
前記端末によって開始されたｅＣａｌｌ又は指定された呼のために前記端末とシグナリングを交換すること、とを備える、方法。
【請求項２６】
移動性管理及び接続管理のためのシグナリングを前記受信しないことは、前記ｅＣａｌｌ及び指定された呼の前に前記端末から所在位置の更新のためのシグナリングを受信しないことを備える請求項２５に記載の方法。
【請求項２７】
前記ｅＣａｌｌ又は指定された呼のために前記端末とシグナリングを前記交換することは、
前記ｅＣａｌｌ又は指定された呼が開始されたときに前記端末との所在位置の更新を行うことと、
前記ｅＣａｌｌ又は指定された呼のために前記端末との呼の確立を行うこと、とを備える請求項２５に記載の方法。
【請求項２８】
緊急呼（ｅＣａｌｌ）の確立をサポートするための装置であって、
ｅＣａｌｌ及び指定された呼を除き端末から移動性管理（ＭＭ）及び接続管理（ＣＭ）のためのシグナリングを受信しないための手段と、
前記端末によって開始されたｅＣａｌｌ又は指定された呼のために前記端末とシグナリングを交換するための手段と、を備える、装置。
【請求項２９】
移動性管理及び接続管理のためのシグナリングを受信しないための前記手段は、前記ｅＣａｌｌ又は指定された呼の前に前記端末から所在位置の更新のためのシグナリングを受信しないための手段を備える請求項２８に記載の装置。
【請求項３０】
前記ｅＣａｌｌ又は指定された呼のために前記端末とシグナリングを交換するための前記手段は、
前記ｅＣａｌｌ又は指定された呼が開始されたときに前記端末との所在位置の更新を行うための手段と、
前記ｅＣａｌｌ又は指定された呼のために前記端末との呼の確立を行うための手段と、を備える請求項２８に記載の装置。  
【請求項３１】
緊急ＳＥＴＵＰメッセージの発生に先立って、ｅＣａｌｌインジケーションを備える加入情報をホームロケーションレジスタＨＬＲから提供することをさらに具備する請求項１に記載の方法。
【請求項３２】
ｅＣａｌｌインジケーションを備える加入情報をホームロケーションレジスタＨＬＲから受信することと、
前記端末はｅＣａｌｌ専用端末であることを決定することと、をさらに具備する請求項５に記載の方法。
【請求項３３】
ｅＣａｌｌインジケーションを備える加入情報をホームロケーションレジスタＨＬＲから受信するための手段と、
前記端末はｅＣａｌｌ専用端末であることを決定するための手段と、をさらに具備する請求項６に記載の装置。
【国際調査報告】
2011521505.tif 000017
2011521505.tif 000018
2011521505.tif 000019
2011521505.tif 000020
2011521505.tif 000021